(57)【要約】【課題】  仮カードを容易に発行可能にするとともに、窓開き封筒の作成及び取扱も容易なカード付き申込封筒用紙を提供する。【課題の解決手段】  カード付き申込封筒用紙１は、一端側の三周縁で剥離可能に接着した封筒用紙２と情報表示用紙３からなり、封筒用紙２には、折り部Ｐ２で二つ折りして重なり合う重ね合わせ面の一方側にカード部９を分離可能に区画形成し、他方側にはカード部９に対向する位置に封筒の送付先である宛名を表示する一方、申込情報記入欄を設け、情報表示用紙３を剥離して粘着剤が露出した封筒用紙２からカード部９の分離して各折り部Ｐ１，Ｐ２，Ｐ３で四つ折りすると、カード部９を分離した部分に形成された窓部から宛名が視認でき、粘着剤で三周縁が封緘された窓開き封筒となる。【選択図】    図１
2005104014.tif 000002
【特許請求の範囲】
【請求項１】
作成する窓開き封筒と天地方向は同一大で幅方向はほぼ２倍の大きさを有する封筒部と、天地方向及び幅方向ともにこの封筒部よりは小さい申込部とを、折り部を境に連接し、前記封筒部の前記折り部側を除いた三周縁のうち少なくとも前記申込部とは反対側半分に、前記申込部を前記折り部で折り重ねた時にその外側に位置するよう粘着剤を塗布してなる封筒用紙と、少なくとも前記封筒部に相当する大きさで、前記粘着剤塗布部分に対応して剥離剤を塗布してなる情報表示用紙とを備え、これら両用紙を粘着剤と剥離剤とが対接するように重ね合わせて剥離可能に接着してなり、前記封筒用紙の封筒部には、スリットでカード部を区画形成するとともに、粘着剤塗布面側にこのカード部よりも大きい透視可能な樹脂フィルムを前記カード部に対しては剥離可能に、前記カード部周辺の封筒部に対しては剥離困難に接着し、前記封筒用紙の申込部には、この申込部を前記折り部から前記封筒部の前記樹脂フィルム側に折り重ねたときに、前記カード部に対向する位置に封筒の送付先である宛名を表示する一方、この宛名と重ならない位置に申込情報記入欄を設け、前記封筒用紙の折り部の両側と、この折り部と平行に伸びる粘着剤塗布部の内側には、前記封筒用紙を四つ折りした時に互いに重なる位置に開封用ミシン目を設け、前記情報表示用紙には、広告情報などの適宜な情報を表示したことを特徴とするカード付き申込封筒用紙。
【請求項２】
作成する窓開き封筒と天地方向は同一大で幅方向はほぼ２倍の大きさを有し、その周縁には、二つ折りした時に対接する一方側に粘着剤を設け、二つ折りして重なり合う重ね合わせ面の一方側には、スリットでカード部を区画形成するとともに、このカード部よりも大きい透視可能な樹脂フィルムを前記カード部に対しては剥離可能に、前記カード部周辺に対しては剥離困難に接着し、前記重ね合わせ面の他方側には、二つ折りした時に、前記カード部に対向する位置に封筒の送付先である宛名を表示する一方、前記重ね合わせ面の前記宛名及び前記樹脂フィルムと重ならない位置に申込情報記入欄を設け、粘着剤塗布部の内側に対応する四周縁には、二つ折りした時に互いに重なる位置に開封用ミシン目を設けてなる封筒用紙と、少なくともこの封筒用紙を二つ折りした大きさに相当する大きさで、広告情報などの適宜な情報を表示するとともに、前記粘着剤塗布部分に対応して剥離剤を塗布してなる情報表示用紙とを備え、これら両用紙を粘着剤と剥離剤とが対接するように重ね合わせて剥離可能に接着したことを特徴とするカード付き申込封筒用紙。
【発明の詳細な説明】
【技術分野】
【０００１】
本発明は、デパート等の友の会をはじめとする各種会員制クラブへの入会申込書や、銀行等を介して行うクレジットカードをはじめとする各種カードの申込書等を封書状態で郵送するために使用するカード付き申込封筒用紙に関し、特に、仮カードを分離した後に窓開き封筒として郵送するカード付き申込封筒用紙に関する。
【背景技術】
【０００２】
従来から各種申込書を封書状態で郵送するための申込封筒用紙は知られており、また、封筒用紙の一部にカードを分離可能に設けたカード付き封筒用紙も知られている。しかし、これら従来のカード付き封筒用紙は、入会申込を受け付けた会社から申込者に対して正規のカードを郵送するものが一般的であり、正規のカードの発行を求める申込書に仮カードを設けて封筒用紙を構成し、この仮カードを分離した後に申込書を郵送する窓開き封筒を作成するものは、知られていない。
【特許文献１】特開平９−２９５４７６号公報
【特許文献２】特開平１１−１０５４６７号公報
【発明の開示】
【発明が解決しようとする課題】
【０００３】
このため、従来は、申込手続が完了して正規のカードが発行されるまでの間に限って有効な仮カードを申込時に発行したり、申込が完了した時点であらかじめ申込者に渡しておいた仮カードを正規カードとして取り扱うことはできなかった。本発明は、この不都合を解消して、仮カードを容易に発行可能にするとともに、窓開き封筒の作成及び取扱も容易なカード付き申込封筒用紙を提供することを目的とする。
【課題を解決するための手段】
【０００４】
この目的を達成するため、本発明の請求項１に係るカード付き申込封筒用紙は、封筒用紙と情報表示用紙からなり、封筒用紙は、作成する窓開き封筒と天地方向は同一大で幅方向はほぼ２倍の大きさを有する封筒部と、天地方向及び幅方向ともに前記封筒部よりは小さい申込部とを、折り部を境に連接してなり、前記封筒部の前記折り部側を除いた三周縁のうち少なくとも前記申込部とは反対側半分に、前記申込部を前記折り部で折り重ねた時にその外側に位置するよう粘着剤を塗布してなる一方、情報表示用紙は、少なくとも前記封筒部に相当する大きさで、広告情報などの適宜な情報を表示するとともに、前記粘着剤塗布部分に対応して剥離剤を塗布してなるもので、これら用紙を粘着剤と剥離剤とが対接するように重ね合わせて剥離可能に接着してなる。そして、前記封筒用紙の封筒部には、スリットでカード部を区画形成するとともに、粘着剤塗布面側に、このカード部よりも大きい透視可能な樹脂フィルムを前記カード部に対しては剥離可能に、前記カード部周辺の封筒部に対しては剥離困難に接着し、前記封筒用紙の申込部には、この申込部を前記折り部から前記封筒部の前記樹脂フィルム側に折り重ねたときに、前記カード部に対向する位置に封筒の送付先である宛名を表示する一方、この宛名と重ならない位置に申込情報記入欄を設け、前記封筒用紙の折り部の両側と、この折り部と平行に伸びる粘着剤塗布部の内側には、前記封筒用紙を四つ折りした時に互いに重なる位置に開封用ミシン目を設けている。
【０００５】
同じく上記目的を達成するために、本発明の請求項２に係るカード付き申込封筒用紙は、封筒用紙と情報表示用紙からなり、封筒用紙は、作成する窓開き封筒と天地方向は同一大で幅方向はほぼ２倍の大きさを有し、その周縁には、二つ折りした時に対接する一方側に粘着剤を設け、二つ折りして重なり合う重ね合わせ面の一方側にはスリットでカード部を区画形成するとともに、このカード部よりも大きい透視可能な樹脂フィルムを前記カード部に対しては剥離可能に、前記カード部周辺に対しては剥離困難に接着し、前記重ね合わせ面の他方側には、二つ折りした時に、前記カード部に対向する位置に封筒の送付先である宛名を表示する一方、前記重ね合わせ面の前記宛名及び前記樹脂フィルムと重ならない位置に申込情報記入欄を設け、粘着剤塗布部の内側に対応する四周縁には、二つ折りした時に互いに重なる位置に開封用ミシン目を設けてなり、情報表示用紙は、少なくとも前記封筒用紙を二つ折りした大きさに相当する大きさで、広告情報などの適宜な情報を表示するとともに、前記封筒用紙の粘着剤塗布部分に対応して剥離剤を塗布してなり、これら両用紙を粘着剤と剥離剤とが対接するように重ね合わせて剥離可能に接着したものである。
【発明の効果】
【０００６】
本発明の請求項１に係るカード付き申込封筒用紙によれば、封筒を封緘するための粘着剤を被覆する剥離紙を別途設ける必要がないので、省資源に貢献でき、また、カード分離後には窓部が形成されるとともに、宛名がこの窓部に対応位置するので、窓開き封筒を容易に作成でき、さらには、作成した窓開き封筒と申込書は開封するまで一体化しているので取扱が容易であり、加えて、作成した封筒の開封も一縁に沿ったミシン目を破断すれば良いので簡便であるという効果を奏する。
【０００７】
本発明の請求項２に係るカード付き申込封筒用紙によれば、封筒を封緘するための粘着剤を被覆する剥離紙を別途設ける必要がないので、省資源に貢献でき、また、カード分離後には窓部が形成されるとともに、宛名がこの窓部に対応位置するので、窓開き封筒を容易に作成できるという効果を奏する。
【発明を実施するための最良の形態】
【０００８】
以下、本発明の好適な実施形態を添付図面に基づいて説明する。ここにおいて、図１〜図７は第１の実施形態を示すもので、図１はカード付き申込封筒用紙の内側（封筒用紙側）を示す平面図、図２は情報表示用紙の内側（封筒用紙と対接する側）を示す平面図、図３は封筒用紙の外側（情報表示用紙と対接する側）を示す平面図、図４はカード付き申込封筒用紙を四つ折りした状態の平面図、図５は図４のＡ−Ａ線断面図、図６は作成した窓開き封筒の平面図、図７は図６のＢ−Ｂ線断面図である。また、図８〜図１２は第２の実施形態を示すもので、図８はカード付き封筒用紙の内側（封筒用紙側）を示す平面図、図９は図８のＣ−Ｃ線断面図、図１０は封筒用紙の外側（情報表示用紙と対接する側）を示す平面図、図１１は情報表示用紙の内側（封筒用紙と対接する側）を示す平面図、図１２は作成した窓開き封筒の平面図である。
【０００９】
はじめに、図１〜図７に基づいて第１の実施形態について説明する。図１に示すように、カード付き申込封筒用紙１は、封筒用紙２と情報表示用紙３とからなる。封筒用紙２は、窓開き封筒３１（図６及び図７参照）を作成するためのもので、この窓開き封筒３１と天地方向は同一大で幅方向はほぼ２倍の大きさを有する封筒部４と、この封筒部４よりも天地方向、幅方向ともに小さい申込書として機能する申込部５とを、仮想線で示す折り部Ｐ２を境に連接してなる。また、情報表示用紙３は、天地方向が前記封筒部４と同一大で、幅方向が前記封筒用紙３と同一大である。
【００１０】
封筒部４の図１に図示した面が、封筒用紙２を各仮想線で示す折り部Ｐ１，Ｐ２，Ｐ３で四つ折りして、窓開き封筒３１を作成した時の表出面側となる。なお、カード付き申込封筒用紙１は、各折り部Ｐ１，Ｐ２の間と、各折り部Ｐ２，Ｐ３の間、及び折り部Ｐ３と封筒部４側端の間は同一長で、折り部Ｐ１と申込部５側端の間は前記各間よりも短く設定している。
【００１１】
図３に示すように、封筒用紙２における封筒部４の折り部Ｐ２側を除いた三周縁のうち申込部５とは反対側半分（図３上、仮想線で示す折り部Ｐ３から左側の部分）に、申込部５を前記折り部Ｐ２で折り重ねた時にその外側に位置するよう粘着剤６を塗布している。一方、図２に示すように、情報表示用紙３の周縁には、この情報表示用紙３を前記封筒用紙２に、図１に示す所定状態で重ね合わせた時に、前記粘着剤６塗布部分に対応するよう剥離剤７を塗布している。そして、これら両用紙２，３を、対接する粘着剤６と剥離剤７とで剥離可能に接着して、図１に示す申込封筒用紙１としているものである。
【００１２】
図１及び図３に示すように、封筒用紙２の封筒部４には、各折り部Ｐ２，Ｐ３の間に、スリット８でカード部９を区画形成するとともに、このカード部９よりも一回り大きい透視可能な樹脂フィルム１０を、粘着剤６塗布面側に前記カード部９に対しては剥離可能に、前記カード部９周辺の封筒部４に対しては剥離困難に接着している。前記カード部９は、正規のカードが送付される迄使用する仮カードとなるもので、その樹脂フィルム１０接着面側にはあらかじめ、「会員カード（仮）」という表題とともに、仮カード番号１１を印字する一方、その反対面側には仮カード使用にあたっての注意事項１２を印字してある。
【００１３】
図３に示すように、封筒用紙２の申込部５における封筒部４の粘着剤６塗布面と同一面側（二つ折り時の重ね合わせ面側）には、この申込部５を折り部Ｐ２から封筒部４の樹脂フィルム１０側に折り重ねたときにカード部９に対向する位置に、窓開き封筒３１の送付先である宛名１３をあらかじめ印刷あるいは印字する一方、この宛名１３と重ならない位置にあらかじめ申込情報記入欄１４を設けている。この申込情報記入欄１４には、仮カード番号１１を印字する際に、同一内容の申込番号１５を同時に印字するとともに、「住所」、「氏名」、「ＴＥＬ」という見出しを印字している。追って申込時には、これら見出しに対応する位置に申込者が自分の住所、氏名、電話番号を記入するものである。
【００１４】
一方、図２に示すように、情報表示用紙３には、剥離剤７塗布面側に、カード部９の剥離方法や仮カードの説明、申込情報記入欄１４に記入する際の注意事項等を記載した案内文１６と会員約款１７とをあらかじめ印刷し、図示していない剥離剤７塗布面と反対面側には、広告情報をあらかじめ印刷してある。
【００１５】
また、図１及び図３に示すように、封筒用紙２の折り部Ｐ２の両側と、この折り部と平行に伸びる粘着剤６塗布部の内側には、前記封筒用紙２を各折り部Ｐ１，Ｐ２，Ｐ３で四つ折りした時に、互いに上下に重なる位置に開封用ミシン目１８，１９，２０を設けている。
【００１６】
上述のように構成したカード付き申込封筒用紙１は、図１状態において折り部Ｐ２で封筒用紙２が表出するよう二つ折りとし、さらに、重なり合った折り部Ｐ１，Ｐ３で封筒部４が表出するように二つ折りして四つ折り状態とし（図４，図５参照）、会員カード取扱施設に申込希望者が自由に持ち帰れるように置いておく。
【００１７】
図４，図５に示す状態のカード付き申込封筒用紙１を持ち帰った申込希望者は、まず、申込封筒用紙１を図１状態に展開して情報表示用紙３と封筒用紙２を剥離し、前記情報表示用紙３の案内文１６を参照して前記封筒用紙２のカード部９を樹脂シート１０から剥離するとともに、申込情報記入欄１４に所定事項を記入する。図３に示すように、この記入時には、粘着剤６塗布面は申込情報記入欄１４と同一面側にあるので、粘着剤６が他の部材に接着する虞はない。なお、図１状態で申込部５を折り部Ｐ２から封筒部４へ折り重ねると、申込情報記入欄１４と案内文１６が露出するので、この折り重ね状態で前記申込記入欄１４に記入してもよい。
【００１８】
所定事項記入後に申込者は、剥離した封筒用紙２をカード付き申込封筒用紙１の折り癖にしたがって、折り部Ｐ２で申込部５の申込記入欄１４面を封筒部４の粘着剤６塗布面に折り重ね、さらに、重なり合った各折り部Ｐ１，Ｐ３で前記封筒部４が表出するように折り重ねると、各開封用ミシン目１８，１９，２０が重なり合うとともに、カード部９が剥離されて窓部となった樹脂シート１０に宛名１３が対応位置して視認可能となり、三周縁が粘着剤６で接着して封緘状態となった窓開き封筒３１が形成され、投函可能となる（図６、図７参照）。そして、剥離したカード部９は、申込受付から正規のカードが発行される迄の間、仮カードとして使用されるものである。
【００１９】
この窓開き封筒３１を受領した会員カード発行会社では、一側縁に沿って重なって伸びる各開封用ミシン目１８，１９，２０を破断し、前記窓開き封筒３１を開封するとともに、開封用ミシン目１９の破断によって封筒部４から分離した申込部５を取り出して、申込情報記入欄１４の記入事項に基づき仮カードに変わる正規のカードを発行するものである。
【００２０】
次に、図８〜図１２に基づいて第２の実施形態を説明する。図８及び図９に示すように、カード付き申込封筒用紙４１は、封筒用紙４２と情報表示用紙４３とからなる。封筒用紙４２は、窓開き封筒６１（図１２参照）を作成するためのもので、この窓開き封筒６１と天地方向は同一大で幅方向は２倍の大きさを有し、また、情報表示用紙４３は前記封筒用紙４２と同一大である。
【００２１】
図１０に示すように、封筒用紙４２における四周縁の半分にあたる、図１０上、仮想線で示す折り部Ｑ１から左側の部分に、粘着剤４４を塗布してなる。一方、図１１に示すように、情報表示用紙４３の周縁には、この情報表示用紙４３を前記封筒用紙４２に、図８及び図９に示す所定状態で重ね合わせた時に、前記粘着剤４４塗布部分に対応するよう剥離剤４５を塗布している。そして、これら用紙４２，４３を、対接する粘着剤４４と剥離剤４５とで剥離可能に接着して、図８及び図９に示すカード付き申込封筒用紙４１としているものである。
【００２２】
図８及び図１０に示すように、封筒用紙４２には、折り部Ｑ１で二分される一方側に、スリット４６でカード部４７を区画形成するとともに、このカード部４７よりも一回り大きい透視可能な樹脂フィルム４８を、粘着剤４４塗布面側に前記カード部４７に対しては剥離可能に、前記カード部４７周辺の封筒用紙４２に対しては剥離困難に接着している。前記カード部４７は、正規のカードが送付される迄使用する仮カードとなるもので、その樹脂フィルム４８接着面側にはあらかじめ、「会員カード（仮）」という表題とともに、仮カード番号４９を印字する一方、その反対面側には仮カード使用にあたっての注意事項５０を印字してある。
【００２３】
図１０に示すように、封筒用紙４２の粘着剤４４塗布面側には、この封筒用紙４２を折り部Ｑ１で折り重ねたときにカード部４５に対向する位置に、窓開き封筒６１の送付先である宛名５１をあらかじめ印刷あるいは印字する一方、この宛名５１及び樹脂フィルム４８と重ならない位置に申込情報記入欄５２を設けている。この申込記入欄５２には、仮カード番号４９を印字する際に、同一内容の申込番号５３を同時に印字するとともに、「住所」、「氏名」、「ＴＥＬ」という見出しを印字し、追って申込時に、これら見出しに対応する位置に申込者が自分の住所、氏名、電話番号を記入するものである。
【００２４】
一方、図１１に示すように、情報表示用紙４３には、剥離剤４５塗布面側に、カード部４７の剥離方法や仮カードの説明、申込情報記入欄５２に記入する際の注意事項等を記載した案内文５４と会員約款５５とをあらかじめ印刷し、図示していない剥離剤７塗布面と反対面側には、広告情報をあらかじめ印刷してある。
【００２５】
また、図８及び図１０に示すように、封筒用紙４２の四周縁には、粘着剤４４塗布部の内側に、前記封筒用紙４２を折り部Ｑ１で二つ折りした時に、上下に重なるよう前記折り部Ｑ１を軸として対称的に開封用ミシン目５６，５７，５８，５９を設けている。
【００２６】
上述のように構成したカード付き申込封筒用紙４１は、図８状態において折り部Ｑ１で封筒用紙４２が表出する二つ折り状態とし、会員カード取扱施設に申込希望者が自由に持ち帰れるように置いておく。
【００２７】
この二つ折り状態のカード付き申込封筒用紙４１を持ち帰った申込希望者は、まず、申込封筒用紙４１を図８状態に展開して情報表示用紙４３と封筒用紙４２を剥離し、前記情報表示用紙４３の案内文５４を参照して前記封筒用紙４２のカード部４７を樹脂シート４８から剥離するとともに、申込情報記入欄５２に所定事項を記入する。図１０に示すように、この記入時には、粘着剤４４塗布面は申込情報記入欄５２と同一面側にあるので、粘着剤４４が他の部材に接着する虞はない。
【００２８】
所定事項記入後に申込者は、封筒用紙４２を折り部Ｑ１で二つ折りして粘着剤４４塗布面側を折り重ねると、各開封用ミシン目５６，５７，５８，５９が重なり合うとともに、カード部４７が剥離されて窓部となった樹脂シート４８に宛名５１が対応位置して視認可能となり、三周縁が粘着剤４４で接着して封緘状態となった窓開き封筒６１が形成され、投函可能となる。なお、剥離したカード部４７は、申込受付から正規のカードが発行される迄の間、仮カードとして使用されるものである。
【００２９】
この窓開き封筒６１を受領した会員カード発行会社では、折り部Ｑ１を除く三周縁に沿って重なって伸びる開封用ミシン目５６，５７，５８，５９を破断し、前記窓開き封筒６１を開封して、申込記入欄５２の記入事項に基づき仮カードに変わる正規のカードを発行するものである。
【００３０】
なお、本発明は上述の実施形態に限定されるものではなく、例えば、情報表示用紙３，４３の大きさは、封筒用紙２，４２とほぼ同一大である必要はなく、少なくとも粘着剤６．４４塗布部分と対向するよう剥離剤７，４５を塗布しうる大きさを有していればよい。また、カード部９，４７は、封筒用紙２，４２の折り部Ｐ３，Ｑ１に対して反対側の部分に設けてもよい。この場合には、宛名１３，５１も各折り部Ｐ１，Ｑ１に対して反対側の部分に設けることになる。
【図面の簡単な説明】
【００３１】
【図１】第１の実施形態におけるカード付き申込封筒用紙の内側（封筒用紙側）を示す平面図。
【図２】同じく情報表示用紙の内側（封筒用紙と対接する側）を示す平面図。
【図３】同じく封筒用紙の外側（情報表示用紙と対接する側）を示す平面図。
【図４】同じく封筒用紙を四つ折りした状態の平面図。
【図５】同じく図４のＡ−Ａ線断面図。
【図６】同じく作成した窓開き封筒の平面図。
【図７】同じく図６のＢ−Ｂ線断面図。
【図８】第２の実施形態におけるカード付き封筒用紙の内側（封筒用紙側）を示す平面図。
【図９】同じく図８のＣ−Ｃ線断面図。
【図１０】同じく封筒用紙の外側（情報表示用紙と対接する側）を示す平面図。
【図１１】同じく情報表示用紙の内側（封筒用紙と対接する側）を示す平面図。
【図１２】同じく作成した窓開き封筒の平面図。
【符号の説明】
【００３２】
１，４１      カード付き申込封筒用紙
２，４２      封筒用紙
３，４３      情報表示用紙
４      封筒部
５      申込部
６，４４      粘着剤
７，４５      剥離剤
８，４６      スリット
９，４７      カード部
１０，４８      樹脂フィルム
１１，４９      仮カード番号
１２，５０      注意事項
１３，５１      宛名
１４，５２      申込情報記入欄
１５，５３      申込番号
１６，５４      案内文
１７，５５      会員約款
１８，１９，２０，５６，５７，５８，５９      開封用ミシン目
３１，４１      窓開き封筒
Ｐ１，Ｐ２，Ｐ３，Ｑ１      折り部
【図１】
2005104014.tif 000003
【図２】
2005104014.tif 000004
【図３】
2005104014.tif 000005
【図４】
2005104014.tif 000006
【図５】
2005104014.tif 000007
【図６】
2005104014.tif 000008
【図７】
2005104014.tif 000009
【図８】
2005104014.tif 000010
【図９】
2005104014.tif 000011
【図１０】
2005104014.tif 000012
【図１１】
2005104014.tif 000013
【図１２】
2005104014.tif 000014